(57)【要約】【課題】一時的な制御を可能としつつも、周囲の治安維持のため野外設置照明器具としての最低限の動作を保障する照明装置およびその制御方法を提供する。【解決手段】発光部５と、発光部５の状態を制御する制御部１０と、無線による制御信号を受信し前記制御部に送る無線受信部１６と、周囲の照度を示す照度値を取得し前記制御部に送る周囲照度取得部８ｇ−１とを備え、制御部１０は、前記発光部の制御を無線による無線制御処理と前記照度値と所定の閾値とを比較しその結果に応答して制御する照度制御処理とを切り替える切替処理を行うものであり、前記切替処理とは、前記制御信号の受信を契機とする所定の時間の到達時に行われる処理であることを特徴とする。【選択図】図３
2017162609.tif 000002
【特許請求の範囲】
【請求項１】
発光部と、
前記発光部の状態を制御する制御部と、
無線による制御信号を受信し前記制御部に送る無線受信部と、
周囲の照度を示す照度値を取得し前記制御部に送る周囲照度取得部と、を備え、
前記制御部は、
前記発光部の制御を無線による無線制御処理と前記照度値と所定の閾値とを比較しその結果に応答して制御する照度制御処理とを切り替える切替処理を行うものであり、
前記切替処理とは、前記制御信号の受信を契機とする所定の時間の到達時に行われる処理であることを特徴とする照明装置。
【請求項２】
前記所定の時間とは、所定の時刻または前記制御信号を受信してからの経過時間であることを特徴とする請求項１に記載の照明装置。
【請求項３】
発光部と、
前記発光部の状態を制御する制御部と、
無線による制御信号を受信し前記制御部に送る無線受信部と、
周囲の照度を示す照度値を取得し前記制御部に送る周囲照度取得部と、を備える照明装置において、
前記制御部が、
前記発光部の制御を無線による無線制御処理と前記照度値と所定の閾値とを比較しその結果に応答して制御する照度制御処理とを切り替える切替処理を行うものであり、
前記切替処理とは、前記制御信号の受信を契機とする所定の時間の到達時に行われることを特徴とする照明装置の制御方法。
【発明の詳細な説明】
【技術分野】
【０００１】
本発明は、主に生活道路や街路などに設置される街路灯、防犯灯又は道路灯等として用いられる照明装置およびその制御方法に関する。
【背景技術】
【０００２】
低消費電力の発光素子（ＬＥＤ）を光源にした照明装置は、一般家庭はもとより商業施設等でも多く設置され、屋外に設置する街路灯等の照明装置への採用も進んでいる。
【０００３】
このような照明装置について、特許文献１には、リモコン装置などの無線による遠隔操作手段により制御信号を送信し、これを受信した照明装置が当該制御信号に従い、点灯及び消灯等の動作を行うものが知られている。
【０００４】
また、リモコン装置の電池切れや紛失等により照明装置が制御困難となる場合に備え、手や棒等で照明装置のグローブを叩くことにより発生する音や振動をセンサで検出することにより、照明装置の点灯及び消灯等を制御する手段を設けることが知られている。
【先行技術文献】
【特許文献】
【０００５】
【特許文献１】特開２０１０−５００１５号公報
【発明の概要】
【発明が解決しようとする課題】
【０００６】
しかしながら、屋外に設置する街路灯等として使用される照明装置の場合、無線等による遠隔からの制御のみに頼ると人的な制御ミスや忘れが発生した場合や、無線の送受信手段に故障や通信の遅延等といった不具合が生じた場合、多大な不都合が発生する。
【０００７】
つまり、街路灯等の野外に設置される照明装置は、その周辺の防犯や治安の維持の役割を担っているため、人的要因、通信上の故障や遅延等により、周囲が暗くなっているにも関わらず照明装置が消灯状態のままであったりすると、周辺住民の安全や安心に悪影響を与えてしまうからである。
【０００８】
また、故障等に備えて、無線等による遠隔制御とは別に制御手段を備えるにしても、特許文献１に記載のような手段では不十分である。通常、街路灯等の屋外設置照明装置は、電柱や支柱等により高所に備えられるものであるため、点灯及び消灯等の制御のために照明装置それ自体に振動等を与えるのは困難であるし、屋外は屋内と比較して騒音が大きく、また鳥その他の生物が照明装置に接触する可能性が高いため、音や振動等による制御は、誤作動を引き起こしやすいためである。
【課題を解決するための手段】
【０００９】
本発明は以上の点に鑑みなされたものであり、以下のような特徴又はステップに係るものである。
（１）発光部と、前記発光部の状態を制御する制御部と、無線による制御信号を受信し前記制御部に送る無線受信部と、周囲の照度を示す照度値を取得し前記制御部に送る周囲照度取得部と、を備え、前記制御部は、前記発光部の制御を無線による無線制御処理と前記照度値と所定の閾値とを比較しその結果に応答して制御する照度制御処理とを切り替える切替処理を行うものであり、前記切替処理とは、前記制御信号の受信を契機とする所定の時間の到達時に行われる処理であることを特徴とする。
（２）前記所定の時間とは、所定の時刻または前記制御信号を受信してからの経過時間であることを特徴とする請求項１に記載の照明装置。
【発明の効果】
【００１０】
本発明によれば、照明装置の制御に際し、優先して無線による制御信号による制御を行い、かつ、当該無線による制御信号受信後の一定時間経過後には照明装置の周囲環境の照度による制御に復帰させるものであるため、一時的に特別な制御が必要になった場合でも臨機応変な制御が可能となると共に、街路灯等といった野外設置照明装置としての最低限の動作を保障できるものである。
【図面の簡単な説明】
【００１１】
【図１】本発明に係る照明装置の分解図である。
【図２】本発明に係る照明装置の採光部及び周囲照度取得部の位置を示す断面図である。
【図３】本発明に係る照明装置のブロック図である。
【図４】本発明第１の実施例に係る処理手順を示すフローチャート図である。
【図５】本発明第２の実施例に係る処理手順を示すフローチャート図である。
【発明を実施するための形態】
【実施例１】
【００１２】
以下、本発明に係る照明装置について、まず図１及び図２に基づいて、主にその構造について説明する。図１及び図２に示すように、本発明に係る照明装置１は、主に、上面カバー２、透光カバー３、発光部５、電源部８からなる。
【００１３】
上面カバー２は、例えばアルミダイキャストなどの耐食性に優れた素材により一体成形されるもので、透光カバー３と蓋体４はこの上面カバー２の開口部を塞ぐように取り付けられる。透光カバー３はシールパッキンを介在させ、取付ボスによりネジ止めされる。蓋体４は、内部機器等の調整やメンテナンスが容易なように蝶番により開閉可能に連結される。
【００１４】
上面カバー２および透光カバー３とにより形成される空間に、例えばＬＥＤといった発光素子５ａを配設した発光部５が収容される。上面カバー２には、熱伝導板等を介して発光部５による発熱を吸収し装置外部へ放散するためのヒートシンク２ａが一体に成形される。
【００１５】
上面カバー２内には、電源部８が配置される。電源部８は商用交流電源を電圧変換した直流の駆動電源をリード線等を介して光源部５に供給するための装置および回路等の各種手段が備えられる。具体的には、商用交流電源を降圧した直流に変換する整流回路、制御信号およびその他情報を処理しそれらに応答して発光部５の発光の状態を制御する制御部１０としての制御回路、発光部５を発光させるための点灯回路１２等である。
【００１６】
また、特に図１及び図２においては図示しないが、無線通信による制御信号を受信しその制御信号を制御部１０に送る無線受信部１６を備える。それら回路を実装した配線基板８ｃが電源部８の筐体ケース８ａ内に収容される。
【００１７】
図２に示すように筺状ケース８ａの側部に、周囲照度取得部としての受光素子８ｇ−１が配線基板８ｃに実装されている。受光素子８ｇ−１に対し外光を導入するための採光部２ｆが筐体ケース８ａと上面カバー２に通孔として形成され、透明素材で形成された採光パッキン１３が嵌装されている。
【００１８】
上面カバー２の両側部に採光部２ｆを備えつつ、その一方側にのみ受光素子８ｇ−１を設ける構成にすれば、受光素子８ｇ−１を上面カバー２の採光部２ｆの任意の一方に対向させて配置することが可能となる。かかる構成よれば、ノイズとなるような光の光源となる住宅又はビル等が周囲に存在する場合、その光源側ではない採光部２ｆに受光素子８ｇ−１を対向させることにより、本来点灯すべき夜間において点灯しないといった照明装置１の誤動作を防止することができる。
【００１９】
続いて、照明装置１の制御について説明する。図３の照明装置１に係るブロック図に示すとおり、照明装置１は、発光部５と、発光部５の点灯、消灯及び調光等を行う点灯回路１２と、制御回路１０を備える。
【００２０】
また、照明装置１は、受光素子８ｇ−１による周囲照度取得部８ｇ−１と、無線による制御信号を受信する無線受信部１６を備える。
【００２１】
制御部１０は、各種信号による情報を処理するためのプロセッサ等の処理装置と、基準となる閾値、周囲照度取得部８ｇ−１により検出された照度値に係るデータ及びその他照明装置１の動作に必要な情報及びプログラムを記憶する記憶装置を備える。
【００２２】
さらに、照明装置１は、所定の時刻又は所定の経過時間等を計測して取得する時間取得部１４を備える。この時間取得部１４は、各種タイマや時計またはこれらの機能を有するプログラム等であってよい。
【００２３】
照明装置１に対し無線送信による制御を行うための無線送信手段２０は、無線受信部１６との間でデータの送受信が可能なものであればよく、無線通信の規格についても、Ｗｉ−Ｆｉ、Ｂｌｕｅｔｏｏｔｈ（登録商標）、Ｚｉｇｂｅｅ（登録商標）やＷｉＭＡＸといった従来既知の無線通信に係る規格を適宜選択して採用してよい。無線送信手段２０は、携帯情報端末をはじめとする単体の装置であってもよいが、例えばコンピュータとアクセスポイント等の送信手段を接続し所定のコンピュータプログラムで制御した一連の装置としてもよい。
【００２４】
続いて、照明装置１の光源５の制御の処理方法について説明する。まず、照明装置１周囲の環境の照度による照度制御処理である。周囲照度取得部８ｇ−１は、照明装置１の周囲環境の明暗の状況、すなわち照度を検出し取得する。制御部１０は、例えば１０分毎といった所定の時間間隔毎に周囲照度取得部８ｇ−１に対して周囲の照度を取得するよう要求し、周囲照度取得部８ｇ−１はその要求に対し、測定値（照度値）を制御部１０に送る。制御部１０は、記憶装置にその照度値を記憶する。
【００２５】
制御部１０は、予め記憶されている照度に関する閾値と周囲照度取得部８ｇ−１から取得した照度値とを比較し、発光部５の制御を判定するための判定処理を行う。具体的には、照度値が閾値より小さい場合は、点灯回路１２に発光部５を点灯させるため点灯要求を送信する。一方、照度値が閾値より大きい場合は、点灯回路１２に発光部５を消灯させるため消灯要求を送信する。
【００２６】
このとき、制御部１０は、発光部５の状態を記憶装置に記憶しておき、その状態と同じ要求か否かを判断することにより、発光部５が点灯状態の場合に点灯要求しないように、逆に、発光部が消灯状態の場合に消灯要求を送信しないようにしてもよい。これにより、無駄なデータの送受信を無くすことができる。
【００２７】
このように、照度制御処理によれば周囲が暗いのにも関わらず照明装置１が点灯していない、または逆に、周囲が明るいにも関わらず照明装置が消灯せず点灯を維持されてしまうといった不都合を回避することができる。
【００２８】
一方、街路灯等の野外に設置される照明装置については、点検や補修といったメンテナンスのために照明装置を個別に、かつ、一時的に制御する必要が生ずる。こうした場合、照明装置１の無線送信手段２０からの無線による制御信号に基づく制御である無線制御処理を行う。
【００２９】
以下、図４に示す手順に従い処理手順について説明する。本実施例では、照明装置１の制御部１０は、照度制御処理により動作していることを確認し、照度制御処理の状態でない場合には、照度制御処理の状態にする（Ｓ１１、Ｓ１２）。
【００３０】
無線送信手段２０からの制御信号を無線受信部１６が受信した場合、その受信した制御信号を制御部１０に送るものであるが、制御部１０は、無線による制御信号がない場合には、照度制御処理を継続し、制御信号を受けた場合には、無線による制御信号の制御命令に応答するよう処理をＳ１３へ移す（Ｓ１２）。この制御信号は、発光部５の点灯、消灯を指示するものだけでなく、発光色の指定や発光の明暗を指示するものであってよい。
【００３１】
制御部１０は、無線受信部１６からの制御信号への応答を優先させて制御を行う。具体的には、制御部１０は、制御信号を受信した場合、周囲の照度に基づく照度制御処理を中断し、当該制御信号に応答した制御（無線制御処理）を行う（Ｓ１３、Ｓ１４）。
【００３２】
制御部１０は、所定時間の経過により、再び制御を照度制御処理に戻す。ここで、所定の時間とは予め記憶装置に設定され記憶されている所定の時刻又は経過時間である。
【００３３】
所定の時刻とする場合には、時間取得部１４から取得される時刻データと比較することにより所定の時刻となったか否かを判断する。また、所定の時間を所定の経過時間とする場合には、制御信号を制御部１０が受信したと同時に時間取得部１４を動作させて制御部１０の制御信号受信からの経過時間を計測し比較することにより、所定の経過時間となったか否かを判断すればよい（Ｓ１５）。
【００３４】
このように、制御部１０が制御信号を受信した後、所定の時間となったと判断された場合、制御部１０は、制御信号受信をしてから中断していた、周囲照度取得部８ｇ−１に対し周囲の照度測定要求および照度値の取得を再開し、周囲の照度による制御に切り替える。
【００３５】
本実施例に係る制御により、忘れや制御ミスといった人的要因や無線通信の不具合に対し、野外用照明装置に最低限求められる機能維持を図ることができる。
【００３６】
例えば、照明装置１が正常に点灯している状態において、一時的に消灯する必要が生じて、作業員等が無線による制御により照明装置１を消灯させたとする。その後、消灯させておく必要性が解消されたとき、本来の点灯状態に戻す作業を作業員が忘れたとしても、所定の時間になれば周囲の照度による制御に切り替わるため、忘れたことに気付くまで何日も消灯状態が維持されてしまうといった不都合を無くすことができる。
【００３７】
また、イベント等により発光部５の発光色を一定時間だけ変更するような場合、その無線による制御信号での制御から所定の時間経過後に周囲の照度に応じた制御に切り替わる際に、変更した発光色を常時使用される発光色（例えば白色光）に変更する制御を併せて行うようにしてもよい。こうすれば、イベント終了後にも関わらず、照明装置１が変更色のまま街路灯等として不自然な発光をし続けることを防止することができる。
【実施例２】
【００３８】
他の実施例における処理手順の例を図５に示す。上記実施例１における例では、無線送信手段２０から照明装置１への無線による制御信号は、光源部５の明滅や色彩や光量を調整するといった調光に関する信号であり、利用者が任意に発信する不定期な信号であるが、これに限らず、定期的に無線送信手段２０から送信される通信確認のための制御信号であってもよい。
【００３９】
本実施例においては、無線送信手段２０は、照明装置１の無線受信部１６に対し、通信状況確認のための制御信号を一定時間間隔で送信する。制御信号を受信した無線受信部１６は、制御部１０へ送り、制御部１０は、所定のプログラムに従って、無線送信手段２０に対し応答の信号を送信する。このように、先に送信した制御信号に対する応答信号を受信した無線送信手段２０は、無線通信に不通や遅延がないことを確認する。これを一定時間間隔で繰り返すことにより、無線通信の状況を確認するものである。
【００４０】
照明装置１の制御部１０は、この無線送信手段２０からの通信状況確認のための制御信号１０を受け取ると時間取得部１４からこの制御信号１０を受けてからの経過時間を計測する（Ｓ２１、Ｓ２２）。
【００４１】
ここで無線送信手段２０からの制御信号は、一定時間間隔毎に送信されているので、ある制御信号を受けてからの経過時間は、次の制御信号を受けるまでの時間を示す。ある制御信号を受けてから計測が開始された経過時間は、次の制御信号を受けると共にリセットされ、再計測を開始するようにする。
【００４２】
制御部１０の記憶装置には、所定の時間が記憶されており、これを閾値として、経過時間が当該閾値を経過したか否かを判断する（Ｓ２３）。ここで、この所定の時間（閾値）は、少なくとも無線送信手段２０からの制御信号の間隔時間より長く設定するものとする。
【００４３】
当該経過時間が所定時間（閾値）を経過した場合、無線通信に何らかの障害による不通や遅延の可能性が高いため、制御部１０は、光源５の制御を照度制御処理に切り替える。具体的には、制御の状況が無線制御処理中であるか否かを確認し（Ｓ２４）、無線制御処理中である場合には、それを中断し（Ｓ２５）、照度制御処理に切り替える（Ｓ２６）。制御部１０は、当該経過時間が所定時間（閾値）を経過しない場合には、特に変更等することなく、通信確認の制御信号の送受信を継続する（Ｓ２３）。
【００４４】
本実施例によれば、無線通信の状況を確認するための信号を起点に照度による制御に切り替えるため、無線通信に不通や遅延等の不具合が発生している場合に、作業者等が無線送信手段２０から照明装置１に対して明滅等を命令する制御信号が送信されたにも関わらず、途中の無線回線の不具合で照明装置１に到達せずに、照明装置１が未制御のまま放置されるという不都合を防止できる。
【００４５】
本発明は、以上の説明の例に限定されない。以上の説明において、周囲照度による制御については点灯及び消灯のみの制御としているが、周囲の照度に応じて発光部の明るさを調整する制御にしてもよい。この場合、記憶装置が、複数の照度についての閾値と発光部への電力供給量とを関連付けて記憶することで、発光部の明るさを閾値に応じたものとするようにすればよい。
【００４６】
また、所定時間とは、無線経由で行った制御から周囲の照度による制御に復帰させるタイミングを決めるためのものであり、周辺の安全等のため街路灯等の野外設置の照明装置が担う最低限の機能を担保するためのものであるため、この所定時間の設定がなされていない、若しくは、不正である場合には、無線経由の制御信号による制御を受け付けないようにしてもよい。
【００４７】
上記実施例２に係る説明では、経過時間は、制御部１０が無線送信手段２０から送信された、ある制御信号を受けてから次の制御制御信号を受けるまでの時間としているが、これに限られない。制御部１０が当該制御信号に対する応答信号を発信してから次の制御信号を受け取るまでの時間としてもよい。照明装置１と無線送信手段２０とを介する無線通信に不具合が無いか否かを確認するのが趣旨であるため、照明装置１と無線送信手段２０との無線通信が、所定の時間以上不通であることが確認できる各種方法で良い。
【符号の説明】
【００４８】
１  照明装置
５  発光５
８ｇ−１  周囲照度取得部
１０  制御部
１２  点灯回路
１４  時間取得部
１６  制御信号受信部
【図１】
2017162609.tif 000003
【図２】
2017162609.tif 000004
【図３】
2017162609.tif 000005
【図４】
2017162609.tif 000006
【図５】
2017162609.tif 000007
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
発光部と、
前記発光部の状態を制御する制御部と、
無線による制御信号を受信し前記制御部に送る無線受信部と、
周囲の照度を示す照度値を取得し前記制御部に送る周囲照度取得部と、を備え、
前記制御部は、
前記発光部の制御を無線による無線制御処理と前記照度値と所定の閾値とを比較しその結果に応答して制御する照度制御処理とを切り替える切替処理を行うものであり、
前記切替処理とは、前記制御信号の受信を契機に前記無線制御処理へ切り替える処理であって前記制御信号の受信を契機とする所定の時間の到達時に前記無線制御処理から前記照度制御処理へ切替えることを特徴とする照明装置。
【請求項２】
前記所定の時間とは、所定の時刻または前記制御信号を受信してからの経過時間であることを特徴とする請求項１に記載の照明装置。
【請求項３】
発光部と、
前記発光部の状態を制御する制御部と、
無線による制御信号を受信し前記制御部に送る無線受信部と、
周囲の照度を示す照度値を取得し前記制御部に送る周囲照度取得部と、を備える照明装置において、
前記制御部が、
前記発光部の制御を無線による無線制御処理と前記照度値と所定の閾値とを比較しその結果に応答して制御する照度制御処理とを切り替える切替処理を行うものであり、
前記切替処理とは、前記制御信号の受信を契機に前記無線制御処理へ切り替える処理であって前記制御信号の受信を契機とする所定の時間の到達時に前記無線制御処理から前記照度制御処理へ切替えることを特徴とする照明装置の制御方法。
【手続補正２】
【補正対象書類名】明細書
【補正対象項目名】０００９
【補正方法】変更
【補正の内容】
【０００９】
本発明は以上の点に鑑みなされたものであり、以下のような特徴又はステップに係るものである。（１）発光部と、前記発光部の状態を制御する制御部と、無線による制御信号を受信し前記制御部に送る無線受信部と、周囲の照度を示す照度値を取得し前記制御部に送る周囲照度取得部と、を備え、前記制御部は、前記発光部の制御を無線による無線制御処理と前記照度値と所定の閾値とを比較しその結果に応答して制御する照度制御処理とを切り替える切替処理を行うものであり、前記切替処理とは、前記制御信号の受信を契機に前記無線制御処理へ切り替える処理であって前記制御信号の受信を契機とする所定の時間の到達時に前記無線制御処理から前記照度制御処理へ切替えることを特徴とする。
（２）前記所定の時間とは、所定の時刻または前記制御信号を受信してからの経過時間であることを特徴とする。
【手続補正３】
【補正対象書類名】明細書
【補正対象項目名】００４８
【補正方法】変更
【補正の内容】
【００４８】
１  照明装置
５  発光部
８ｇ−１  周囲照度取得部
１０  制御部
１２  点灯回路
１４  時間取得部
１６  無線受信部